(57)【要約】【課題】  摺動部である本体外側に配設された溝が外側に露出しているために、大口径レンズを搭載した場合のように摺動部が長いと、溝にゴミや異物が付着することによって、バリアの摺動を妨げやすい。【解決手段】  カバー部材と、機器本体の前面に配置され、撮影光学系の全面を覆う第１の位置と撮影光学系の前面から退避した第２の位置とを移動するバリア部材と、バリア部材が第１の位置か第２の位置に移動するときは、バリア部材が機器の前後方向に回転移動したのちに、バリア部材とカバー部材が機器の前後方向に重なり合って第２の位置にスライド移動するように、カバー部材とバリア部材とを連結する連結部と、スライド移動時にバリア部材を付勢する付勢部材を有し、付勢部材は撮影光学系と光軸方向に重なり合わないことを特徴とした。【選択図】  図８
2013061463.tif 000002
【特許請求の範囲】
【請求項１】
カバー部材と、
機器本体の前面に配置され、撮影光学系を覆う第１の位置と該撮影光学系の前面から退避した第２の位置とを移動するバリア部材と、
前記バリア部材が前記第１の位置から前記第２の位置に移動するときは、前記バリア部材が機器の前後方向に回転移動したのちに、前記バリア部材と前記カバー部材が機器の前後方向に重なり合って前記第２の位置にスライド移動するように、前記カバー部材と前記バリア部材とを連結する連結部と、
前記スライド移動の時に前記バリア部材を付勢する付勢部材を有し、
前記付勢部材は前記撮影光学系と光軸方向に重なり合わないことを特徴とした撮像装置。
【請求項２】
前記バリア部材が前記第１の位置にあるときは、前記付勢部材は、前記撮影光学系を挟んで複数配置されることを特徴とする請求項１に記載の撮像装置。
【請求項３】
前記バリア部材が前記第２の位置にあるときは、前記付勢部材は、前記スライド移動の時に前記機器本体と常に重なっている領域に位置していることを特徴とする請求項１に記載の撮像装置。
【請求項４】
前記回転移動の時に前記バリア部材を付勢する弾性部材を更に有し、
前記弾性部材は、前記回転移動によって前記弾性部材が予め定められた点を境に付勢方向を変えることを特徴とするとを特徴とする請求項１ないし３の何れか１項に記載の撮像装置。
【請求項５】
前記バリア部材が前記第１の位置にあるときは、前記バリア部材と前記カバー部材とが同一平面上に位置することを特徴とする請求項１ないし４の何れか１項に記載の撮像装置。
【発明の詳細な説明】
【技術分野】
【０００１】
本発明は、使用状態と収納状態との間で移動するスライド式のバリアユニットを備えた撮像装置に関するものである。
【背景技術】
【０００２】
従来、この種のバリアユニットを備えた撮像装置において、電源オフ時などの撮像不能状態では機器外面を覆うバリアが閉状態となり、電源オンなどの撮像可能状態では機器外面を覆うカバーが開状態となって、光学系が外面に露出するものがあった。
【０００３】
特許文献１は、本体外側に配設された溝をバリアが摺動する方式の例であり、カメラ外面の光学系を覆った位置に横スライド可能なバリアを配置し、それをスライドさせることで、光学系を外面に露出させている。
【先行技術文献】
【特許文献】
【０００４】
【特許文献１】特開２０００−１１１９８９号公報
【発明の概要】
【発明が解決しようとする課題】
【０００５】
特許文献１の電子機器は、常に摺動部である本体外側に配設された溝が外側に露出しているために、大口径レンズを搭載した場合のように摺動部が長いと、溝にゴミや異物が付着することによって、バリアの摺動を妨げやすい。また、バリアの摺動にばねを用いた場合は、その配置によってはカメラの厚みを増してしまう。
【０００６】
本発明は、上記の課題を鑑みて、摺動溝が外側に露出せず、ゴミや異物によってバリアの摺動を妨げることのないバリアユニットを備える撮像装置であって、バリアの摺動にばねを用いても厚くならない撮像装置を提供することを目的とする。
【課題を解決するための手段】
【０００７】
上記課題を解決するために、カバー部材と、機器本体の前面に配置され、撮影光学系を覆う第１の位置と該撮影光学系の前面から退避した第２の位置とを移動するバリア部材と、前記バリア部材が前記第１の位置から前記第２の位置に移動するときは、前記バリア部材が機器の前後方向に回転移動したのちに、前記バリア部材と前記カバー部材が機器の前後方向に重なり合って前記第２の位置にスライド移動するように、前記カバー部材と前記バリア部材とを連結する連結部と、前記スライド移動の時に前記バリア部材を付勢する付勢部材を有し、前記付勢部材は前記撮影光学系と光軸方向に重なり合わないことを特徴とするものである。
【発明の効果】
【０００８】
摺動溝が外側に露出せず、ゴミや異物によってバリアの摺動を妨げることのないバリアユニットを備えた撮像装置であって、バリアの摺動にばねを用いても厚くならない撮像装置を提供することができる。
【図面の簡単な説明】
【０００９】
【図１】本実施例のデジタルカメラの２つの状態を説明する説明図である。
【図２】本実施例のデジタルカメラを正面からみて右側から見たときの図である。
【図３】本実施例のデジタルカメラのバリア４の分解斜視図である。
【図４】リンク部材１０の外観斜視図である。
【図５】リンク部材１０を横から見た図である。
【図６】（ａ）本実施例のデジタルカメラのバリア４の外観図である。（ｂ）バリア４の裏面の図である。
【図７】トグルばね２１，２２の詳細な図である。
【図８】本実施例のデジタルカメラの２つの状態を説明する説明図である。
【図９】リンク部材１０の回転移動中の動きの様子を示した図である。
【図１０】リンク部材１０の回転移動中の動きの様子を示した図である。
【図１１】バリア４が撮影不能状態から撮影可能状態に移行するまでの一連の動きを表した図である。
【図１２】バリア４が撮影不能状態から撮影可能状態に移行するまでのトグルばね２１，２２の移動状態を表した図である。
【発明を実施するための形態】
【００１０】
以下、本発明の実施例について、図１〜１２を参照しながら詳細に説明する。
【００１１】
図１は、本発明を実施したバリアユニットを備えたデジタルカメラを説明する概観図であって、あわせて本実施例のデジタルカメラの２つの状態を説明する説明図である。
【００１２】
外装部２はカメラ本体１（機器本体）を覆い、略６面体であるカメラ本体１のうち、正面から見て上面２ａ、下面２ｂ、左面２ｃ、右面２ｄ、および背面２ｅの５面を構成している。カバー部材３とバリア４（バリア部材）は、ともに機器本体の前面に配置される。カバー部材３は、上面２ａおよび下面２ｂに挟まれた状態で、カメラ本体１の正面から見て左半分を覆っている。
【００１３】
バリア４は、同じく上面２ａおよび下面２ｂに挟まれ、カメラ本体１の外面の残り右半分を覆っている。また、のバリア４の移動方向に対して垂直になるようにＬ字形状部４ｄがあり、撮影不能状態においては右面２ｄとＬ字形状部４ｄが同一平面上に存在する。また、撮影可能状態においては、Ｌ字形状部４ｄによって後述する回転機構部の内部の露出を防ぐ役目も担うことが可能になる。また、バリア４の移動を操作する指掛け操作部４ｇを形成することも可能である。なお、バリア４の内側には撮影光学系としてのレンズユニット５やストロボ６が収納されている。
【００１４】
また、上面２ａには、周周の操作部材が配置されている。一例として、電源のＯＮ又はＯＦＦ機能を持つ電源ボタン７、半押しで撮影準備動作及び全押しで撮影動作開始を指示するためのレリーズボタン８、画角を変更して構図を決めるためのズームレバー９が配置されている。なお、凹形状部２３，２４については後述する。
【００１５】
図１（ａ）は撮影不能状態の一例であり、電源オフ状態を示している。この状態ではバリア４は閉状態（第１の状態）となり、レンズユニット５はバリア４によって沈胴状態となっている。図１（ｂ）は撮影可能状態の一例であり、電源オン状態を示している。この状態ではバリア４は閉状態からスライドして退避することによって開状態（第２の状態）となり、レンズユニット５やストロボ６が露出されて撮影可能となる。なお、レンズユニット５は沈胴突出するタイプであってもしないタイプであっても良い。
【００１６】
本実施例のデジタルカメラは、図１（ａ）の状態から、手動操作によって図１（ｂ）の状態とすることができる。そして図１（ｂ）の状態で電源をオフしたときに、レンズユニット５が沈胴突出するタイプであれば、撮影者が手動操作によって図１（ｂ）の状態から図１（ａ）の状態にする際に電源をオフにする。なお、図１（ａ）の矢印Ａはバリア４の移動方向を示している。
【００１７】
図２は、カメラ本体１を右面２ｄ方向から見た図であり、バリア４が移動方向Ａに沿って閉状態と開状態とを移行している際の図である。この場合、上面２ａと下面２ｂの内壁部と、バリア４のＬ字形状部４ｄの端部である４ａと４ｂがそれぞれ接触しながら移動するため、回転しようとする力をによる移動を規制することができる。
【００１８】
これによって、機器本体の上下方向のガタつきが抑制される。また、Ｌ字形状部４ｄは、バリア４の移動を操作する指掛け操作部４ｇを形成する。
【００１９】
＜回転機構部の構成＞
図３はバリア４の分解斜視図である。ガイド部材１８とバリア４がリンク部材１０を摺動可能に挟持して、ガイド部材１８とバリア４とをねじなどにより固定される。
【００２０】
図４は、回転機構部の連結部材をなすリンク部材１０の外観斜視図である。リンク部材１０は、カメラ本体１にねじ止めするなどして固定するための部材である固定部１３と、固定部１３と連結部１４を回転可能に保持する第１リンク部１１と第２リンク部１２をそれぞれ対になって有している。また、リンク部材１０が有する連結部１４は、この対になっている第１リンク部１１、第２リンク部１２および固定部１３をつなぐように配置されている。なお、バリア４の端部である４ａ側に配設されているものを第１リンク部１１ａ、第２リンク部１２ａおよび固定部１３ａとし、４ｂ側に配設されているものを第１リンク部１１ｂ、第２リンク部１２ｂおよび固定部１３ｂとなるように添え字をつける。
【００２１】
図５はリンク部材１０を下面２ｂ側の側面から見た図である。１１−１は第１リンク部１１が連結部１４に取り付けられる取り付け部であり、かつ第１リンク部１１の第１の回転中心である。１２−１は第２リンク部１２が連結部１４に取り付けられる取り付け部であり、かつ第２リンク部１２の回転中心である。１１−２は、第１リンク部１１が固定部１３に取り付けられる取り付け部であり、かつ第１リンク部１１の回転中心である。
【００２２】
また、１２−２は、第２リンク部１２が固定部１３に取り付けられる取り付け部であり、かつ１２−２は固定部１３に対して回転可能に保持されている。なお、図５では下面２ｂ側からの側面図のため、添え字にｂがついているが、上面２ａ側から見た時も同じ構成となっている。
【００２３】
先ず、第１リンク部１１ｂの回転中心間である第１の回転中心１１−１から第２の回転中心１１−２までの長さ（線分）１５ｃとする。そして、第２リンク部１２の回転中心間である第１の回転中心１２−１から第２の回転中心１２−２までの長さ（線分）１５ｄとする。この１５ｃと１５ｄを同じ長さ（＝ｑ）に構成する。そして、１１−２と１２−２をつなぐ線分１５ａと、１１−１と１１−２をつなぐ線分１５ｂを同じ長さ（＝ｐ）に構成すると、以下のような式が成立する。
１５ａ＝１５ｂ＝ｐ  ・・・（式１）
１５ｃ＝１５ｄ＝ｑ  ・・・（式２）
これによって、１５ａと１５ｂは常に平行となり、１５ｃと１５ｄ常に平行になる。よってリンク部材１０は、１５ａ、１５ｂ、１５ｃ、１５ｄからなる４つの線分が、常に平行四辺形を形成しながら、矢印Ｂの方向に回転することになる。
【００２４】
図６（ａ）はバリア４の外観図であり、図６（ｂ）はバリア４の裏面（カメラ本体１に取り付けられた際に露出しない面）を示す図である。
【００２５】
図６（ａ）のように、リンク部材１０は、リンク部材１０の一部（リンク部１２および固定部１３）がバリア４の裏面側に突出するように組み立てられる。突出しているリンク部１２および固定部１３は後述する機構で回転移動することができる。
【００２６】
図６（ｂ）は、バリア４の裏面から見た図である。連結部１４の裏面には凸部１４ａが設けられており、この凸部１４ａがガイド部材１８の移動規制部１８ａに嵌合することで移動方向が規制されている。これによって、リンク部材１０が回転せずにバリア開閉のために摺動することができる。なお、移動規制部１８ａはガイド部材１８とバリア４の裏面のいずれか一方に配設されていれば良い。
【００２７】
＜トグルばね＞
図７は、付勢部材としてのトグルばね２１，２２の斜視図である。トグルばね２１，２２はそれぞれトグル部２１ａ，２２ａを有する。このトグル部２１ａ，２２ａの厚み２１ｂ，２２ｂは、バリア４のスライド移動の操作性を保つために長くなる傾向にある。なお、トグルばね２１，２２は、それぞれ図１（ｂ）の凹形状部２３，２４に収納されることになる。なお、凹形状部２３，２４は、それぞれレンズユニット５を挟んで配置されており、レンズユニット５の光軸方向の投影において重ならない位置に配置している。
【００２８】
図８（ａ）は、デジタルカメラを凹形状部２３，２４を通る線で切ったときの断面図である。さらに、図８（ｂ）は、図８（ａ）中のトグルばね部Ｃの拡大図である。レンズユニット５の沈胴時の光軸方向厚みＷＬとトグルばね２１の厚み２１ｂが光軸方向に重なることがない。そのためレンズユニット５の厚みＷＬとトグルばね２１の厚み２１ｂが光軸方向に重なることなく、デジタルカメラ自体の厚みＷがより厚くなることがない。
【００２９】
これによってデジタルカメラの厚さを厚くすることなくスライドバリアを取り付けることが可能になる。なお、トグルばね２１，２２は撮影レンズを挟んでそれぞれ複数配置されていても良い。
【００３０】
＜回転機構部の動き＞
図９はリンク部材１０の回転移動中の動きの様子を示したものであり、図９（Ａ）から（Ｃ）に回転移動したものである。また、図９（Ｃ）は説明のために、図９（Ａ）と図９（Ｂ）のリンク部材１０を重ね合わせて回転移動の動きを示したものである。連結部１４のスライドバリア移動方向Ａへの移動量ｘは、リンク部１１ｂ、１２ｂの回転角θが１８０度に近くなるほど、多くなることになる。なお、リンク部１１ｂ、１２ｂに、対になっているリンク部１１ａ、１２ａも同様の回転移動をする。
【００３１】
また、弾性部材としての引っ張りばね１６（リンク部材１０の両側に１６ａと１６ｂがある）は、リンク部材１０の回転中に、ある位置で回転方向の負荷のかかる方向を切り替える。また、トグルばね２１，２２は、バリア４がスライド移動中に、ある位置でバリア４の移動方向Ａの負荷のかかる方向を切り替える。こうすることによって、一方向（たとえば閉から開方向）へ移動されるときに、移動方向に抗するようにバリア４を付勢すると共に、ある位置で付勢方向を移動方向へと切り替える。
【００３２】
よって逆方向（たとえば開から閉方向）へ移動させるときにも、移動方向に抗するようにバリア４を付勢すると共に、ある位置で付勢方向を移動方向へと切り替える。引っ張りばね１６およびねじりトグルばね２１，２２を配置することで、バリア４を開閉する際の操作性が向上し、感触の良いスライドバリアが構成可能になる。ガイド部材１８には移動規制部１８ａが設けられており、上述のように連結部１４の凸部１４ａによって連結部１４の移動方向を規制する。
【００３３】
図１０は、リンク部材１０の回転運動を示したもので、図１０（Ａ）の状態から（Ｃ）の常置亜に回転移動したものである。リンク１１ｂの回転先端部２５ｂと、第１リンク部１１ｂを回転可能に保持した固定部１３ｂの固定軸２６ｂの２つの軸に引っ張りばね１６ｂが引っかかって保持されている。
【００３４】
（Ａ）では、図中の連結部１４はＲａ方向に常に引っ張られるため、Ｒａ方向に付勢させることになる。（Ａ）の位置から、引っ張りばね１６ｂの付勢方向とは逆方向に回転移動し、（Ｂ）のとおり、固定軸２６ｂとリンク１１ｂの回転部２５ｂが最大の長さなる位置において、引っ張りばね１６ｂの付勢方向が反転する。そして、連結部１４は（Ｃ）の位置では付勢方向はＲｂ方向に常に引っ張られるため、Ｒｂ方向へ付勢させることになる。連結部１４はバリア４とガイド部材１８に摺動可能に挟まれているため、バリア４も同様に付勢力が働くことになる。また、対に配置している引っ張りばね１６ａも同様の付勢方向の切り替えをほぼ同時に行う。
【００３５】
図１１はバリア４の撮影不能状態から撮影可能状態に移行するまでの一連の動きについて、第１リンク部１１、第２リンク部１２および固定部１３の動きを表した図である。図１１（Ａ）は外装部２の下面２ｂに平行な面での断面斜視図であり、図１１（Ｂ）はリンク部材１０を中心とした部分の拡大図である。図１１（Ａ−１）の位置のリンク部材１０は図１１（Ｂ−１）であるというように、それぞれ対応して示す。
【００３６】
図１１（Ａ−１）は、バリア４は、撮影不能状態、すなわち撮像レンズを収納保護する位置（第１の位置）に位置してる状態である。バリア４には切り欠き部４ｆとして傾斜面が設けられ、リンク部材１０の回転を規制するための外装部２の切り欠き部２ｆと接するようになっている。（Ａ−１）のようにスライドバリアが閉状態にあるときには、バリア４とカバー部材３が略同一平面となるように構成している。
【００３７】
図１１（Ａ−１）の状態から、撮影者がバリア４を持ち上げながらバリア４の移動方向Ａに移動させるように操作を行うと、まずリンク部材１０のうち第１リンク部１１、第２リンク部１２および固定部１３が回転移動を行う。図１１（Ａ−２）の状態から図１１（Ａ−４）の状態では、前述のとおり、リンク部材１０の第１リンク部１１、第２リンク部１２および固定部１３の１５ａ、１５ｂ、１５ｃ、１５ｄからなる４つの線分が、常に平行四辺形を形成しながら、回転を行うことになる。
【００３８】
すると、第１リンク部１１、第２リンク部１２の連結部１４は、バリア４とバリア４に固定されているガイド部材１８を前後方向に浮き上がらせながら、バリア４の移動方向へ回転移動する。その後、図１１（Ａ−４）の状態において、第１リンク部１１の側面１１ｆが切り欠き部２ｆと当接することで、第１リンク部１１およびバリア４の回転移動が規制される。
【００３９】
図１１の（Ａ−４）から（Ａ−６）は、バリア４を移動方向Ａに移動することで、撮影レンズを露出した位置（Ａ−６、第２の位置）の状態になる。この際、図９で説明した通り、リンク部材１０に対してバリア４が摺動可能な構成のため、リンク部材１０の移動が規制されるのに対して、バリア４はバリアが開閉する方向（図１ａのＡ方向）にスライド移動することができる。そしてその後、撮影レンズは繰り出し撮影可能状態となる。
【００４０】
つまり、（Ａ−１）から（Ａ−４）までは回転移動を行い、（Ａ−４）から（Ａ−６）はスライド移動を行うことになり、バリア４のスライド移動方向Ａの移動量は前述の回転移動の移動量とスライド移動の移動量の和になり、移動量を長くすることができる。
【００４１】
図１２は前述の本発明のスライドバリアの一連の移動状態（撮影不能状態から撮影可能状態）のときのトグルばね２１，２２の移動状態を示した断面図である。バリア４が閉じ状態の位置である（Ｃ−１）では、トグルばね２１，２２は凹形状部２３，２４に配置される。そして、リンク部材１０が回転移動している（Ｃ−２）から（Ｃ−４）までは、トグルばね２１，２２は凹形状部２３，２４から外れ、リンク部材１０と同様に回転移動する。
【００４２】
その後（Ｃ−５）から（Ｃ−６）において、バリア４のスライド移動に伴ってトグルばね２１，２２がスライド移動する。そして（Ｃ−６）で、バリア４が開状態の位置となる。トグルばね２１，２２は、バリア４がスライド移動中（Ｃ−５）から（Ｃ−６）では常に領域Ｚ（スライド移動中にバリア４とカメラ本体１とが常に重なっている領域）に位置することになり、レンズユニット５と干渉しない位置に配置される。
【００４３】
本発明はバリアユニットを備えたデジタルカメラを例にとったが、本実施形態のバリアユニットを有する電子機器であれば、携帯電話や携帯ゲーム機などのカメラ付きの電子機器でも良い。
【符号の説明】
【００４４】
３  カバー部材
４  バリア部材
１０  リンク部材
１１，１２  リンク部
１４  連結部
【図１】
2013061463.tif 000003
【図２】
2013061463.tif 000004
【図３】
2013061463.tif 000005
【図４】
2013061463.tif 000006
【図５】
2013061463.tif 000007
【図６】
2013061463.tif 000008
【図７】
2013061463.tif 000009
【図８】
2013061463.tif 000010
【図９】
2013061463.tif 000011
【図１０】
2013061463.tif 000012
【図１１】
2013061463.tif 000013
【図１２】
2013061463.tif 000014